(57)【要約】【課題】移動電話機の機能との不整合による機能の制限の発生を抑制する「情報システム」を提供する。【解決手段】  三台の移動電話機Ａ、Ｂ、Ｃが車内に持ち込まれており、移動電話機Ａが車載システム１００との整合率が１００の機種であり、移動電話機Ｂが車載システム１００との整合率が５０の機種であり、移動電話機Ｃが車載システム１００との整合率が９０の機種である場合、車載システム１００は接続可能な移動電話機２として移動電話機Ａ、Ｂ、Ｃを検出すると（Ｓ４１、４２）、各移動電話機２の機種を識別し、機種に応じて定まる各移動電話機２の車載システム１００との整合率に従って、各移動電話機２に優先順位を附与して、優先順位の順（Ａ、Ｃ、Ｂの順）に認証を試み（Ｓ４６、４７）、最初に認証が成功した（Ｓ４８）移動電話機Ｃを、以降の通信に用いる移動電話機２として選定する。【選択図】図４
2008277952.tif 000002
【特許請求の範囲】
【請求項１】
近距離無線通信を介して接続した移動電話機を用いた通信を行う情報システムであって、
前記近距離無線を介して接続可能な移動電話機を探索する探索手段と、
前記探索手段が探索した各移動電話機の機種を識別する機種識別手段と、
前記機種識別手段が識別した機種に従って定まる、前記探索手段が探索した各移動電話機の機能の当該情報システムが前記通信に関して用いる移動電話機の機能に対する整合の度合いに応じて、当該機能の整合の度合いがより大きい移動電話機ほどより優先して選定されるように、前記通信に用いる移動電話機を前記探索手段が探索した移動電話機のうちから選定する選定手段とを有することを特徴とする情報システム。
【請求項２】
請求項１記載の情報システムであって、
移動電話機の機種毎に設けられた、当該機種の移動電話機の機能の当該情報システムが前記通信に関して用いる移動電話機の機能に対する整合の度合いを表す機種データを登録した機種データベースを備え、
前記選定手段は、前記機種データベースに登録された、前記機種識別手段が識別した機種の機種データに基づいて、前記探索手段が探索した各移動電話機の機能の当該情報システムが前記通信に関して用いる移動電話機の機能の前記整合の度合いを求めることを特徴とする情報システム。
【請求項３】
請求項２記載の情報システムであって、
前記識別手段が識別した機種であって、前記機種データベースに前記機種データが登録されていない機種の機種データを、前記選定手段が選定した移動電話機を用いた通信を介して、移動電話機の各機種の機種データを提供する機種データサーバより取得し、前記機種データベースに登録する機種データベース更新手段を有することを特徴とする情報システム。
【請求項４】
請求項１、２または３記載の情報システムであって、
前記選定手段が選定した、前記通信に用いる移動電話機を通信に用いる場合に生じる、当該情報システムの移動電話機を用いた通信に関して生じる制限事項をユーザに対して提示する制限事項提示手段を有することを特徴とする情報システム。
【請求項５】
請求項１、２、３または４記載の情報システムであって、
当該情報システムは、自動車に搭載されるシステムであることを特徴とする情報システム。
【請求項６】
近距離無線通信を介して接続した移動電話機を用いた通信を行う情報システムにおいて、前記通信に用いる移動電話機を、前記近距離無線を介して接続可能な複数の移動電話機のうちから選定する移動電話機選定方法であって、
前記接続可能な各移動電話機の機種を識別するステップと、
前記識別した機種に従って定まる、前記接続可能な各移動電話機の機能の当該情報システムが前記通信に関して用いる移動電話機の機能に対する整合の度合いに応じて、当該機能の整合の度合いがより大きい移動電話機ほどより優先して選定されるように、前記通信に用いる移動電話機を、前記接続可能な複数の移動電話機のうちから選定するステップとを有することを特徴とする移動電話機選定方法。
【発明の詳細な説明】
【技術分野】
【０００１】
本発明は、移動電話機を用いた通信を行う情報システムにおいて、当該通信に用いる移動電話機を選定する技術に関するものである。
【背景技術】
【０００２】
携帯電話などと呼称される移動電話機を用いた通信を行う情報システムとしては、自動車に搭載された車載システムにおいて、移動電話機の通信機能を利用してデータ通信や音声通信を行う技術が知られている（たとえば、特許文献１）。
また、近距離無線通信によって移動電話機に接続して移動電話機を用いた通信を行う情報システムも知られており、この情報システムでは、近距離無線通信によって接続可能な移動電話機が複数存在する場合に、当該複数の移動電話機のうちから、予め登録しておいた特定の移動電話機を通信に用いる移動電話機として選定する（たとえば、特許文献２）。
【０００３】
また、移動電話機を用いた通信を行う情報システムに関する技術としては、接続された移動電話機を音声通信に用いたハンズフリー通話機能をユーザに提供するハンズフリー通話装置において、移動電話機が接続されたときに、接続された移動電話機の機能の一部が、ハンズフリー通話装置と整合しないものであった場合に、ハンズフリー通話装置の機能が制限される旨の警告をユーザに対して提示する技術が知られている（たとえば、特許文献３）。
【特許文献１】特開2004-037188号公報
【特許文献３】特開2002-330100号公報
【特許文献３】特開2006-28772号公報
【発明の開示】
【発明が解決しようとする課題】
【０００４】
近距離無線通信によって通信に用いる移動電話機を当該情報システムに接続する情報システムにおいて、近距離無線通信によって接続可能な複数の移動電話機のうちから、予め登録しておいた特定の移動電話機を通信に用いる移動電話機として選定する技術によれば、情報システムに、前記特定の移動電話機よりも整合する機能を備えた他の接続可能な移動電話機が存在する場合であっても、この他の接続可能な移動電話機ではなく、前記特定の移動電話機が通信に用いる移動電話機として情報システムによって選定されるため、情報システムの機能が、常に、前記特定の移動電話機の機能が整合する範囲内に制限されてしまうことになる。
【０００５】
そこで、本発明は、近距離無線通信によって通信に用いる移動電話機を当該情報システムに接続する情報システムにおいて、情報システムと通信に用いる移動電話機の機能との不整合による、情報システムの機能の制限の発生を抑制することを課題とする。
【課題を解決するための手段】
【０００６】
前記課題達成のために、本発明は、近距離無線通信を介して接続した移動電話機を用いた通信を行う情報システムに、前記近距離無線を介して接続可能な移動電話機を探索する探索手段と、前記探索手段が探索した各移動電話機の機種を識別する機種識別手段と、前記機種識別手段が識別した機種に従って定まる、前記探索手段が探索した各移動電話機の機能の当該情報システムが前記通信に関して用いる移動電話機の機能に対する整合の度合いに応じて、当該機能の整合の度合いがより大きい移動電話機ほどより優先して選定されるように、前記通信に用いる移動電話機を前記探索手段が探索した移動電話機のうちから選定する選定手段とを備えたものである。
【０００７】
このような情報システムによれば、情報システムが前記通信に関して用いる移動電話機の機能に対する機能の整合の度合いが大きい移動電話機が、通信に用いる移動電話機として、接続可能な移動電話機のうちから優先的に選定されるので、通信に用いる移動電話機と情報システムとの機能の不整合によって、情報システムの機能が制限されてしまうことを抑制することができるようになる。
【０００８】
ここで、以上の情報システムは、より具体的には、当該情報システムに、移動電話機の機種毎に設けた、当該機種の移動電話機の機能の当該情報システムが前記通信に関して用いる移動電話機の機能に対する整合の度合いを表す機種データを登録した機種データベースを備え、前記選定手段において、前記機種データベースに登録された、前記機種識別手段が識別した機種の機種データに基づいて、前記探索手段が探索した各移動電話機の機能の当該情報システムが前記通信に関して用いる移動電話機の機能の前記整合の度合いを求めるように構成してもよい。
【０００９】
また、この場合には、情報システムに、前記識別手段が識別した機種であって、前記機種データベースに前記機種データが登録されていない機種の機種データを、前記選定手段が選定した移動電話機を用いた通信を介して、移動電話機の各機種の機種データを提供する機種データサーバより取得し、前記機種データベースに登録する機種データベース更新手段を設けるようにしてもよい。
【００１０】
また、以上の情報システムに、前記選定手段が選定した、前記通信に用いる移動電話機を通信に用いる場合に生じる、当該情報システムの移動電話機を用いた通信に関して生じる制限事項をユーザに対して提示する制限事項提示手段を備えることも好ましい。
なお、以上の情報システムは、自動車に搭載されるシステムであってよい。
【発明の効果】
【００１１】
以上のように、本発明によれば、近距離無線通信によって通信に用いる移動電話機を当該情報システムに接続する情報システムにおいて、情報システムと通信に用いる移動電話機の機能との不整合による、情報システムの機能の制限の発生を抑制することができる。
【発明を実施するための最良の形態】
【００１２】
以下、本発明の実施形態を説明する。
図１に、本実施形態に係る車載システム１００の構成を示す。
図示するように、車載システム１００は、Bluetooth/IEEE802.15.1(「Bluetooth」は、ザ  ブルートゥース  エスアイジー  インコーポレーテッドの登録商標）などの近距離無線通信を用いる無線ＰＡＮ（Personal Area Network）を介して、無線ＰＡＮ用のインタフェースを備えた近距離に位置する移動電話機２と無線通信を行う無線ＰＡＮインタフェース１１１、表示装置１１２、操作部１１３、ＧＰＳ受信機１１９や車両センサ１２０を備えたナビゲーション装置１１４、スピーカ１２１やマイクロフォン１２２を備えたハンズフリー通話装置１１５、制御部１１６、メモリ１１７、機種データベース１１８とを備えている。
【００１３】
ここで、車両センサ１２０は、車速センサや角速度センサなどの車両の各種走行状態を検出するセンサである。
次に、車載システム１００の機種データベース１１８の内容を図２ａに示す。
図示するように、機種データベース１１８は、移動電話機２の機種毎に対応して設けられたエントリ（図中の各行）を有し、各エントリには、対応する機種の管理番号となる機種ＩＤと、対応する機種の移動電話機２が備える無線ＰＡＮ物理アドレス（BD_ADDR/IEEE802アドレス等）の範囲を表すアドレス範囲と、対応する機種の移動電話機２の機能と車載システム１００が用いる移動電話機２の機能との整合の程度を表す整合率と、対応する機種の製品名と、対応する機種の移動電話機２を利用電話機とした場合に制限される車載システム１００の機能を表す制限事項とが登録される。
【００１４】
ここで、無線ＰＡＮインタフェースを備えた個々の移動電話機２には、出荷前に、固有の無線ＰＡＮ物理アドレスが固定的に設定されており、当該無線ＰＡＮ物理アドレスの上位ビットが当該緯度電話機のベンダと機種を表す。したがって、移動電話機２は、機種毎に固有のアドレス範囲内の無線ＰＡＮ物理アドレスを有する。また、移動電話機２の機種は、当該移動電話機２の無線ＰＡＮ物理アドレスより特定することができる。
【００１５】
また、各機種の整合率は、たとえば、車載システム１００から移動電話機２のデータ通信サービスを利用できない場合には-５０点、車載システム１００から移動電話機２のハンズフリー通話サービスを利用できない場合には-７０点、車載システム１００から移動電話機２の着信音を制御できない場合には-１０点といったように定めた減点値を、当該機種の移動電話機２の機能に応じて、１００点から０点を最小値として減点していくことにより求める。
【００１６】
なお、移動電話機２のハンズフリー通話サービスとは、移動電話機２が収容される移動体通信網を含んで構成されたＷＡＮ３を介した音声通信機能を無線ＰＡＮで接続した外部装置に提供するサービスであり、データ通信サービスとはＷＡＮ３を介したデータ通信機能を無線ＰＡＮで接続した外部装置に提供するサービスである。
さて、図１に戻り、このような車載システム１００において、制御部１１６は、無線ＰＡＮインタフェース１１１を介して、利用電話機として選定された移動電話機２に接続し、接続した移動電話機２のデータ通信サービスを用いてＷＡＮ３を介したデータ通信を行う。このデータ通信によって、制御部１１６は、たとえば、ＷＡＮ３上に配置された交通情報センタ４からの交通情報の受信や、交通情報センタ４への現在位置や平均速度などの走行情報の送信などを行う。ここで、移動電話機２は、データ通信サービスにおいて、ＷＡＮ３を介した通信相手との接続や、通信相手からＷＡＮ３を介したデータ通信で受信する受信データの車載システム１００への中継や、車載システム１００から入力する送信データの、通信相手へのＷＡＮ３を介したデータ通信による中継を行う。
【００１７】
次に、ナビゲーション装置１１４は、地図データを備え、地図データに基づいて、ＧＰＳ受信機１１９や車両センサ１２０の出力から現在位置を算出したり、操作部１１３で受け付けた目的地までの推奨される経路を地図データを参照して探索したり、地図データが表す地図上に現在位置や目的地や目的地までの経路を表した案内画像を表示装置１１２に表示する処理などを行う。ここで、ナビゲーション装置１１４は、制御部１１６が交通情報センタ４から取得した交通情報が表す渋滞の発生状況を考慮して、最短時間で目的地に到達できる経路を、目的地までの推奨される経路として探索する。また、ナビゲーション装置１１４は、これらの交通情報が表す渋滞の発生状況を案内画像上に表示する処理なども行う。
【００１８】
次に、ハンズフリー通話装置１１５は、無線ＰＡＮインタフェース１１１を介して利用電話機として選定された移動電話機２に接続し、接続した移動電話機２のハンズフリー通話サービスを利用して、ユーザが移動電話機２を手持ち操作することなく行う通話であるハンズフリー通話を、移動電話機２への着呼に対するユーザのオフフック操作やユーザの発呼操作応じて実行する。
【００１９】
すなわち、ハンズフリー通話装置１１５は、移動電話機２の音声通信時、移動電話機２のハンズフリー通話サービスから無線ＰＡＮインタフェース１１１を介して入力する受信音声信号の表す音声をスピーカ１２１から出力し、マイクロフォン１２２から入力する音声を表す音声信号を送信音声信号として無線ＰＡＮインタフェース１１１を介して移動電話機２のハンズフリー通話サービスに出力する。移動電話機２のハンズフリー通話サービスは、ＷＡＮ３を介した通信相手との間の呼の制御や、通信相手からＷＡＮ３を介した音声通信で受信する受信音声信号の車載システム１００への中継や、車載システム１００から入力する送信音声信号の、通信相手へのＷＡＮ３を介した音声通信による中継を行う。
【００２０】
さて、このような構成において、制御部１１６は、以上のように制御部１１６のデータ通信やハンズフリー通話装置１１５のハンズフリー通話に用いられる利用電話機の選定を次のように行う。
すなわち、制御部１１６は、電源が投入されると、利用電話機の選定のために図３に示す利用電話機選定処理を行う。
図示するように、この処理では、まず、無線ＰＡＮインタフェース１１１から問い合わせをブロードキャスト形式で発行し、問い合わせに対する移動電話機２の応答を検出する（ステップ３０２）。この手順は、たとえば、無線ＰＡＮがBluetooth(登録商標）/IEEE802.15.1である場合にはInquiry手順に相当する。 
そして、問い合わせに対する応答のあった移動電話機２を接続候補として、メモリ１１７に設けた接続候補リストに登録する（ステップ３０４）。
【００２１】
ここで、図２ｂに、このようにメモリ１１７に設ける接続候補リストの構成を示す。
図示するように、接続候補リストには、ステップ３０２で応答が検出された移動電話機２である接続候補の各々に対応するエントリ（図の各行）を作成する。そして、各エントリには、対応する接続候補の管理番号となる候補番号、対応する接続候補の機種ＩＤ、対応する接続候補の無線ＰＡＮ物理アドレス、データ通信サービスの提供の有無、ハンズフリー通話サービスの提供の有無、優先順位が登録される。
【００２２】
そして、ステップ３０４では、接続候補リストにステップ３０２で応答が検出された移動電話機２である接続候補の各々に対応するエントリを作成し、作成したエントリに、一意に生成した候補番号と、対応する接続候補の機種ＩＤと、対応する接続候補の無線ＰＡＮ物理アドレスを登録する。ここで、接続候補の無線ＰＡＮ物理アドレスは、ステップ３０２で検出した応答で取得される。また、機種ＩＤは、対応する接続候補の無線ＰＡＮ物理アドレスが属するアドレス範囲が登録された機種データベース１１８のエントリの機種ＩＤとして求まる。なお、対応する接続候補の無線ＰＡＮ物理アドレスが属するアドレス範囲が登録された機種データベース１１８のエントリが存在しない場合には、機種ＩＤとして不明を登録する。
【００２３】
次に、各接続候補を接続候補リストに登録したならば（ステップ３０４）、順次、各接続候補を呼び出して接続し、接続候補から接続候補が提供しているサービスを識別する（ステップ３０６）。ここで、この接続候補の呼出、接続の手順は、たとえば、無線ＰＡＮがBluetooth(登録商標）/IEEE802.15.1である場合にはPage手順に相当する。また、接続候補が提供しているサービスの識別の手順は、たとえば、無線ＰＡＮがBluetooth(登録商標）/IEEE802.15.1である場合にはSDPを利用したサービス検索手順に相当する。
【００２４】
そして、接続候補が提供しているサービスを識別したならば（ステップ３０６）、識別結果に従って各接続候補のデータ通信サービスの提供の有無、ハンズフリー通話サービスの提供の有無を、接続候補リストの各接続候補のエントリに登録する（ステップ３０８）。
【００２５】
また、接続候補リストの各接続候補のエントリに登録されている機種ＩＤと同じ機種ＩＤが登録されている機種データベース１１８のエントリに登録されている整合率を取得し、整合率が小さいものほど順位が早くなるように、各接続候補の優先順位を決定する。そして、各接続候補の決定した優先順位と取得した整合率を、接続候補リストの各接続候補のエントリに登録する（ステップ３１０）。ただし、接続候補リストのエントリに機種ＩＤとして不明が登録されている接続候補については、機種データベース１１８から整合率を取得できないので、これに代えて、当該エントリに登録されているデータ通信サービスの提供の有無とハンズフリー通話サービスの提供の有無とに応じて算出した整合率を用いるようにする。この整合率の算出は、たとえば、接続候補リストのエントリに機種ＩＤとして不明が登録されている接続候補の整合率は、データ通信サービスとハンズフリー通話サービスの双方を提供する場合には２０、一方のみを提供する場合には１０、双方とも提供しない場合には０とすることにより行う。
【００２６】
次に、このようにして各接続候補の優先順位を登録したならば（ステップ３１０）、接続候補リストに登録された優先順位に従って、順次（ステップ３１２、３２４、３２６）、各接続候補を対象電話機に設定しながら（ステップ３１４）、各対象電話機について以下の処理を行う。
【００２７】
すなわち、接続候補リストの対象電話機である接続候補のエントリに登録されている整合率を対象電話機の整合率として、対象電話機の整合率が所定のしきい値Ｔｈ（たとえば、１５）未満であるかどうかを調べ（ステップ３１６）、しきい値Ｔｈ未満であれば、利用できる移動電話機２が存在しない旨を表すエラーメッセージを表示装置１１２に表示し（ステップ３２８）、利用電話機選定処理を終了する。
【００２８】
一方、対象電話機の整合率がしきい値Ｔｈ以上であれば、対象電話機に認証要求を送信し、対象電話機への認証コードの入力を求めるメッセージを表示装置１１２に表示する（ステップ３１８）。ここで、このメッセージは、たとえば、接続候補リストの対象電話機となっている接続候補のエントリに登録されている機種ＩＤと同じ機種ＩＤが登録された機種データベース１１８のエントリの製品名の移動電話機２への認証コードの入力を求めるメッセージとする。そして、所定のタイムアウト時間を有するタイマを設定し（ステップ３２０）、タイマのタイムアウトの発生と（ステップ３２２）、対象電話機からの認証応答の受信の発生と（ステップ３３０）とを監視する。
【００２９】
ここで認証要求を受け取った対象電話機である移動電話機２は、ユーザに、車載システム１００の認証コードの入力を求め、認証コードが入力されたならば、当該認証コードを用いて生成した認証応答を、車載システム１００に送信する。
そして、対象電話機からの認証応答の受信（ステップ３３０）前にタイムアウトが発生したならば（ステップ３２２）、当該対象電話機についての処理を終了し、当該対象電話機が優先順位が最後の接続候補であれば（ステップ３２４）、利用できる移動電話機２が存在しない旨を表すエラーメッセージを表示装置１１２に表示し（ステップ３２８）、利用電話機選定処理を終了する。一方、当該対象電話機が優先順位が最後の接続候補でなければ（ステップ３２４）、優先順位が当該対象電話機の次の接続候補に対象電話機を切り替え（ステップ３２６、３１４）、ステップ３１６に進んで、当該切り替え後の対象電話機についての処理を開始する。
【００３０】
一方、タイマのタイムアウトが発生（ステップ３２２）前に、対象電話機からの認証応答を受信したならば（ステップ３３０）、認証応答が車載システム１００に登録されている認証コードと同じ認証コードを用いて生成されたものであるかどうかを調べることにより移動電話機２の認証を行う（ステップ３３２）。なお、このような認証要求と認証応答とを用いた認証手順は、無線ＰＡＮがBluetooth(登録商標）/IEEE802.15.1である場合には、PINを用いた Pairingの手順に相当する。
【００３１】
そして、ステップ３３２で認証に失敗した場合には、当該対象電話機についての処理を終了し、当該対象電話機が優先順位が最後の接続候補であれば（ステップ３２４）、利用できる移動電話機２が存在しない旨を表すエラーメッセージを表示装置１１２に表示し（ステップ３２８）、利用電話機選定処理を終了する。一方、当該対象電話機が優先順位が最後の接続候補でなければ（ステップ３２４）、優先順位が当該対象電話機の次の接続候補に対象電話機を切り替え（ステップ３２６、３１４）、ステップ３１６に進んで、当該切り替え後の対象電話機についての処理を開始する。
【００３２】
一方、ステップ３３２で認証が成功した場合には、対象電話機を利用電話機に設定し（ステップ３３４）、利用電話機に設定された接続候補の接続候補リストのエントリに登録されている機種ＩＤと同じ機種ＩＤが登録されている機種データベース１１８のエントリの制限事項を表示装置１１２に表示し（ステップ３３０）、利用電話機選定処理を終了する。
【００３３】
以上、車載システム１００の制御部１１６が行う利用電話機選定処理について説明した。
ここで、図４に、このような利用電話機選定処理の処理例を示す。
車載システム１００の電源投入時に、車載システム１００が搭載された自動車の搭乗者によって、三台の移動電話機Ａ、Ｂ、Ｃが車内に持ち込まれており、移動電話機Ａは車載システム１００との整合率が１００の機種であり、移動電話機Ｂは車載システム１００との整合率が５０の機種であり、移動電話機Ｃは車載システム１００との整合率が９０の機種であるものとする。
【００３４】
この場合、電源投入された車載システム１００は、利用電話機選定処理を開始し、問い合わせをブロードキャスト形式で送信する（Ｓ４１）。問い合わせは、移動電話機Ａ、Ｂ、Ｃでそれぞれ受信され、移動電話機Ａ、Ｂ、Ｃは、問い合わせにそれぞれ応答する（Ｓ４２）。
【００３５】
この応答を受けた車載システム１００は、移動電話機Ａ、Ｂ、Ｃの無線ＰＡＮ物理アドレスから各移動電話機２の機種を認識すると共に、それぞれを順次、呼出、接続し、各移動電話機Ａ、Ｂ、Ｃの提供するサービスを識別する（Ｓ４３、４４、４５）。
そして、車載システム１００は、認識した機種より求まる整合率が最も高い移動電話機Ａに認証要求を発行し（Ｓ４６）、移動電話機Ａへの認証コードの入力を求めるメッセージＭ４１を表示装置１１２に表示し、タイマを設定する（Ｔ４１）。このとき、ユーザが、移動電話機Ａを車載システム１００で利用したくないなどの理由で、移動電話機Ａに認証コードを入力しないと、タイムアウト（Ｔ４２）が発生する。
【００３６】
タイムアウトが発生したならば、車載システム１００は、移動電話機Ａの次に整合率が高い移動電話機Ｃに、認証要求を発行し（Ｓ４７）、移動電話機Ａへの認証コードの入力を求めるメッセージＭ４２を表示装置１１２に表示し、タイマを設定する（Ｔ４３）。
そして、ユーザが移動電話機Ｃに認証コードを入力すると（Ｉ４１）、移動電話機Ｃから認証応答が車載システム１００に送信される（Ｓ４８）。認証応答を受けた車載システム１００は、認証応答を用いて移動電話機Ｃを認証し（Ｔ４４）、認証が成功したならば、移動電話機Ｃを利用電話機に設定し（Ｔ４５）、移動電話機Ｃの制限事項を表示し（Ｍ４３）、利用電話機選定処理を終了する。
【００３７】
以上、利用電話機選定処理の処理例について説明した。
このように、本実施形態によれば、接続可能な移動電話機２である接続候補のうち、車載システム１００との整合率が大きい移動電話機２がより優先的に、通信に用いる利用電話機として選定されるので、通信に用いる利用電話機と車載システム１００の不整合によって、車載システム１００の機能が制限されてしまうことを抑制することができる。
【００３８】
ところで、以上の実施形態における利用電話機選定処理は、短時間の電源断の後の電源投入時には、直前の電源断時に利用電話機に設定されていた移動電話機２がステップ３０２で発見された場合には、この移動電話機２を無条件に利用電話機に設定するようにしてもよい。または、以上の実施形態における利用電話機選定処理は、直前の電源断時に利用電話機に設定されていた整合率１００の機種の移動電話機２がステップ３０２で発見された場合には、この移動電話機２を無条件に利用電話機に設定するようにしてもよい。
【００３９】
また、以上の実施形態は、移動電話機２の各機種についての図２ａに示した機種データベース１１８のエントリの内容と同様のデータを提供する機種データサーバ５をＷＡＮ３上に、設けるようにしてもよい。そして、車載システム１００の制御部１１６において、利用電話機選定処理が終了したならば、制御部１１６は、接続候補リストの機種ＩＤに不明が登録されているエントリのアドレスに登録されている無線ＰＡＮ物理アドレスを伴う機種データ要求を、利用電話機のデータ通信サービスを利用して、機種データサーバ５に送信し、機種データ要求の応答として、機種データベースサーバ５から受信した機種データを、機種データベース１１８に新たなエントリを生成して登録するようにしてもよい。なお、この場合、機種データサーバ５は、機種データ要求に伴う無線ＰＡＮ物理アドレスが含まれるアドレス範囲が登録されている機種データを、機種データ要求の応答として車載システム１００に送信する。
【００４０】
このようにすることにより車載システム１００の機種データベース１１８の自動更新を行うことができる。
また、以上では車載システム１００への適用を例にとり本発明の実施形態を説明したが、本実施形態で示した利用する移動電話機２の選定の技術は、移動電話機２を用いた通信を行う任意の情報システムに同様に適用することができる。
【図面の簡単な説明】
【００４１】
【図１】本発明の実施形態に係る車載システムの構成を示すブロック図である。
【図２】本発明の実施形態に係る利用電話機選定処理が用いる機種データベースと接続候補リストを示す図である。
【図３】本発明の実施形態に係る利用電話機選定処理を示すフローチャートである。
【図４】本発明の実施形態に係る利用電話機選定処理の処理例を示す図である。
【符号の説明】
【００４２】
２…移動電話機、３…ＷＡＮ、４…交通情報センタ、５…機種データサーバ、１００…車載システム、１１１…無線ＰＡＮインタフェース、１１２…表示装置、１１３…操作部、１１４…ナビゲーション装置、１１５…ハンズフリー通話装置、１１６…制御部、１１７…メモリ、１１８…機種データベース、１１９…ＧＰＳ受信機、１２０…車両センサ、１２１…スピーカ、１２２…マイクロフォン。
【図１】
2008277952.tif 000003
【図２】
2008277952.tif 000004
【図３】
2008277952.tif 000005
【図４】
2008277952.tif 000006